(57)【要約】【課題】雨水を夾雑物と水とに分離できる夾雑物分離マスを提供する。【解決手段】雨水を受け入れて雨水に含まれる夾雑物を雨水から分離する夾雑物分離マス１である。  そして、上部に雨水を受け入れる受水口１１ａが設けられ、下部に雨水を排出する排水口１１ｂが設けられる円筒容器状の外筒部１１と、外筒部１１の内部に配設される筒状の内筒部１２と、内筒部１２の外周面を囲むらせん状に取り付けられて、外筒部１２の内周面に当接するらせん板部１３と、を備えるとともに、内筒部１２の側面においてらせん板部１３が取り付けられた箇所の近傍に開口部１２ａ，・・・が設けられる。【選択図】図１
2009108614.tif 000002
【特許請求の範囲】
【請求項１】
雨水を受け入れて雨水に含まれる夾雑物を雨水から分離する夾雑物分離マスであって、
上部に雨水を受け入れる受水口が設けられ、下部に雨水を排出する排水口が設けられる円筒容器状の外筒部と、
前記外筒部の内部に配設される筒状の内筒部と、
前記内筒部の外周面を囲むらせん状に取り付けられて、前記外筒部の内周面に当接するらせん板部と、を備えるとともに、
前記内筒部の外周面において前記らせん板部が取り付けられた箇所の近傍に開口部が設けられることを特徴とする夾雑物分離マス。
【請求項２】
前記らせん板部は、前記内筒部に取り付けられる側が低くなるように径方向に傾斜して、すり鉢らせん状に形成されることを特徴とする請求項１に記載の夾雑物分離マス。
【請求項３】
請求項１又は請求項２に記載の夾雑物分離マスの前記外筒部に設けられた前記排水口に、雨水を貯留又は浸透させる雨水貯留浸透槽が接続されることを特徴とする雨水貯留浸透システム。
【発明の詳細な説明】
【技術分野】
【０００１】
本発明は、雨水に含まれる夾雑物を雨水から分離する夾雑物分離マスと、この夾雑物分離マスを備える雨水貯留浸透システムと、に関するものである。
【背景技術】
【０００２】
従来、公共下水道の形式として、汚水と雨水とを別系統とする分流式下水道と、汚水と雨水とを同一系統とする合流式下水道と、が知られている。
【０００３】
このうち、合流式下水道では、雨水流出量のすべてを終末処理場で処理することは困難であり、降雨時に計画水量を越えた下水は河川や海などの公共水域に放流している。
【０００４】
また、合流管渠内に溜まった汚濁物質は、次回の初期降雨時の雨水に多量に含まれることとなり、汚濁物質が越流堰を越えて処理されずに放流管渠に流出するといった問題もあった。
【０００５】
この問題を解決するために、例えば、特許文献１では、分離槽の内部にらせん案内路を備えた汚濁分離装置が開示されている。
【０００６】
これらの構成によれば、合流式下水道から分離槽に流入した流入水は、らせん案内路によりらせん状に流動するので、その慣性力によって分離槽内に渦流を形成し、渦流と重量との作用によって、汚濁物質を多く含む汚水とあまり含まない処理水とに分離されることになる。
【特許文献１】特開２００４−２３８９４７号公報
【発明の開示】
【発明が解決しようとする課題】
【０００７】
しかしながら、前記した特許文献１の構成は、雨水を固体と液体とに分離するものではなく、汚水に含まれる夾雑物は取り除かれることなく終末処理場へ送られていた。
【０００８】
そうすると、雨水貯留浸透槽などに接続する場合には、汚水が地下水として地中に浸透して地盤を汚染するうえに、雨水貯留浸透槽を覆う透水シートの目詰まりを起こすという問題があった。
【０００９】
そこで、本発明は、雨水を夾雑物と水とに分離できる夾雑物分離マスと、この夾雑物分離マスを備える雨水貯留浸透システムと、を提供することを目的としている。
【課題を解決するための手段】
【００１０】
前記目的を達成するために、本発明の夾雑物分離マスは、雨水を受け入れて雨水に含まれる夾雑物を雨水から分離する夾雑物分離マスであって、上部に雨水を受け入れる受水口が設けられ、下部に雨水を排出する排水口が設けられる円筒容器状の外筒部と、前記外筒部の内部に配設される筒状の内筒部と、前記内筒部の外周面を囲むらせん状に取り付けられて、前記外筒部の内周面に当接するらせん板部と、を備えるとともに、前記内筒部の外周面において前記らせん板部が取り付けられた箇所の近傍に開口部が設けられることを特徴とする。
【００１１】
また、前記らせん板部は、前記内筒部に取り付けられる側が低くなるように径方向に傾斜して、すり鉢らせん状に形成される構成とすることができる。
【００１２】
さらに、本発明の雨水貯留浸透システムは、上記したいずれかの夾雑物分離マスの前記外筒部に設けられた前記排水口に、雨水を貯留又は浸透させる雨水貯留浸透槽が接続されることを特徴とする。
【発明の効果】
【００１３】
このように、本発明の夾雑物分離マスは、円筒容器状の外筒部と、外筒部の内部に配設される筒状の内筒部と、内筒部の外周面を囲むらせん状に取り付けられて外筒部の内周面に当接するらせん板部と、を備えるとともに、内筒部の外周面においてらせん板部が取り付けられた箇所の近傍に開口部が設けられている。
【００１４】
したがって、らせん板部を回転する際の遠心力によって、夾雑物と水とを分離し、内筒部に設けた開口部を通じて、夾雑物を集めることができる。
【００１５】
また、らせん板部は、内筒部に取り付けられる側が低くなるように径方向に傾斜して、すり鉢らせん状に形成されることで、らせん板部を回転する際の遠心力と、傾斜によって作用する重力の分力とによって、夾雑物と水とを分離し、内筒部に設けた開口部を通じて、夾雑物を集めることができる。
【００１６】
さらに、本発明の雨水貯留浸透システムは、上記したいずれかの夾雑物分離マスの外筒部に設けられた排水口に、雨水を貯留又は浸透させる雨水貯留浸透槽が接続されている。
【００１７】
したがって、雨水貯留浸透槽に流入する雨水からは夾雑物が分離されているため、地盤の汚染や透水シートの目詰まりを抑制することができる。
【発明を実施するための最良の形態】
【００１８】
以下、本発明の最良の実施の形態について図面を参照して説明する。
【００１９】
まず、図２を用いて本発明の夾雑物分離マス１を備える雨水貯留浸透システムＳの全体構成を説明する。
【００２０】
本発明の雨水貯留浸透システムＳは、図２に示すように、人孔３の内部に設置された夾雑物分離マス１と、この夾雑物分離マス１の下流側に接続された雨水貯留浸透槽２と、雨水貯留浸透槽２の両端に接続された点検マス４，４と、を備えている。
【００２１】
この人孔３は、いわゆるマンホールであり、図３に示すように、コンクリートなどによって、作業用の中間床を有する箱状の地下室として形成されており、壁に設けられたはしご３２，・・・によって、底まで降りることができるようになっている。そして、人孔３の内側には、夾雑物分離マス１が中間床などによって支持されて直立するように設置されている。
【００２２】
そして、本実施の形態の夾雑物分離マス１は、図３に示すように、円筒容器状の外筒部１１と、外筒部１１の内部に配設される筒状の内筒部１２と、らせん板部１３と、夾雑物受容器１４と、を備えている。
【００２３】
この外筒部１１は、樹脂などによって上端が開放された円筒容器状に形成されるもので、上部の側面に雨水を受け入れる受水口１１ａが設けられ、下部の側面に雨水を排出する排水口１１ｂが設けられており、人孔３の底に直立するように設置されている。
【００２４】
加えて、この外筒部１１の下部には、後述する夾雑物受容器１４を外部から覗き見ることができる透明の小窓１１ｄと、この夾雑物受容器１４を取り出すための取出口１１ｃが設けられている。
【００２５】
また、内筒部１２は、樹脂などによって、上端及び下端が開放されるとともに外筒部１１より径が小さい円筒状に形成されて、外筒部１１の内部に中心軸を合わせて配設されるもので、側面には、複数のスリット状の開口部１２ａ，・・・が設けられている。
【００２６】
そして、この内筒部１２の外周面には、外筒部１１の内周面との間にらせん板部１３が架け渡されて一体化していることで、内筒部１２は外筒部１１の内部に底から浮いた状態で固定されている。
【００２７】
また、開口部１２ａは、内筒部１２において、らせん板部１３が取り付けられた箇所の近傍としての、らせん板部１３の端縁と内筒部１２の外周面とが交わった線に沿って、上方に開口したスリット状に形成されている。
【００２８】
なお、この開口部１２ａの形状としては、スリット状の他にも、複数の円孔状や、格子状など、夾雑物を取り込める形状であれば、どのような形状であってもよい。
【００２９】
そして、この開口部１２ａは、内筒部１２において、旋回流が安定しない上端近傍には設けられずに、旋回流が安定するらせん板部１３が略２周した上から全長の３分の１程度の位置以下に設けられている。
【００３０】
したがって、液体部分と分離された夾雑物は、この開口部１２ａから内筒部１２の内側に取り込まれ、内筒部１２の内側を通じて、後述する夾雑物受容器１４に誘導されることになる。
【００３１】
さらに、らせん板部１３は、樹脂などによって長尺の板状に形成されるもので、板の幅方向の一端面が内筒部１２の外周面を隙間なく取り巻くようにらせん状に突設されるとともに、他端面が外筒部１１の内周面に隙間なく当接するように形成されて、内筒部１２及び外筒部１１と一体となっている。
【００３２】
つまり、らせん板部１３は、板面を上下方向に向けた状態で、内筒部１１の外周面を回転しながら、上方から下方へ向かって一定勾配で取り付けられることで、らせん状に形成されている。
【００３３】
したがって、外筒部１１の受水口１１ａから流入した雨水は、らせん板部１３の上を流れる際には、内筒部１２の周囲を回転すると同時に、らせん板部１３に沿って下方に向かって流下することとなる。
【００３４】
加えて、らせん板部１３は、径方向については、内筒部１２に取り付けられる内縁側が低くなるように板面が傾斜されていることで、すり鉢らせん状に形成されている。
【００３５】
したがって、らせん板部１３上を流れる雨水には、上記した径方向の外側に向かう遠心力や、重力の周方向の分力とともに、重力の径方向の分力も作用することになる。
【００３６】
そして、夾雑物受容器１４は、樹脂などによって容器状に形成されるもので、内筒部１２の下端の下方において、外筒部１１の底に設けた一対の凸条１１ｅ，１１ｅの間に嵌め込まれている。
【００３７】
また、この夾雑物受容器１４の内部は、外筒部１１の下部に設けた小窓１１ｄを通じて上方から覗き見ることができるようになっている（図１参照）。
【００３８】
さらに、外筒部１１の下部には、周囲が止水された取出口１１ｃが設けられており、夾雑物受容器１４を引き出せるように形成されている。
【００３９】
そして、本実施の形態の雨水貯留浸透槽２は、図２に示すように、複数の充填部材２１，・・・が直線状に並設されることで、内部に雨水を充填するための空間を備えるように形成され、道路の脇の側道や歩道の下に埋設されている。
【００４０】
この充填部材２１は、樹脂によって、上載荷重を支持するとともに雨水を充填する空間を備えるように形成されるもので、下部には、並設方向に連通する集砂枠２３が挿入されている。
【００４１】
加えて、中央近傍の一部の充填部材２１には、夾雑物分離マス１の排水口１１ｂに繋がる流入管２２が接続されることで、夾雑物分離マス１によって夾雑物と分離された雨水を受け入れるようになっている。
【００４２】
そして、上記のように構成された雨水貯留浸透槽２は、並設された充填部材２１，・・・の全体が不織布などの透水シート２４によって覆われて、砂５２及び砕石５１の上に載置されている。
【００４３】
また、点検マス４は、雨水貯留浸透槽２の両端に接続されることで、この点検マス４を通じてバキュームホースを挿入して、上記した集砂枠２３に溜まった土砂などを吸い取ることができるように形成されている。
【００４４】
次に、本実施の形態の夾雑物分離マス１の作用について説明する。
【００４５】
このように、本実施の形態の夾雑物分離マス１は、円筒容器状の外筒部１１と、外筒部１１の内部に配設される筒状の内筒部１２と、内筒部１２の外周面を囲むらせん状に取り付けられて外筒部１１の内周面に当接するらせん板部１３と、内筒部１２の側面においてらせん板部１３が取り付けられた箇所の近傍に設けられる開口部１２ａ，・・・と、を備えている。
【００４６】
したがって、らせん板部１３を回転する際の遠心力によって、夾雑物と水とを分離し、内筒部１２に設けた開口部１２ａ，・・・を通じて、夾雑物を集めることができる。
【００４７】
すなわち、道路などに降った雨水は、道路の脇に設けた側溝などに集められ、夾雑物分離マス１の外筒部１１に設けた受水口１１ａから外筒部１１と内筒部１２との間に流入する。
【００４８】
つづいて、受水口１１ａから流入した雨水は、重力の周方向の分力によって、らせん板部１３上を流下することになるが、らせん板部１３は、図４に示すように、内筒部１２の外周を囲むようにらせん状に形成されているため、流下するのと同時に回転による遠心力を受けることになる。
【００４９】
そうすると、らせん板部１３の上において、相対的に速度が小さい内筒部１２に近い内側に、土砂などの夾雑物が堆積することになる。
【００５０】
つまり、内側のコースよりも距離が長い外側のコースを流れる雨水は、内側よりも相対的に速く流れることになるが、流れが速い場所では夾雑物が流されて堆積しにくいために、流れが遅い内側に夾雑物が堆積する。
【００５１】
そして、内側に堆積した夾雑物は、開口部１２ａを通じて流れ落ちる微量の雨水とともに、内筒部１２の内部に取り込まれて、夾雑物受容器１４に貯留される。
【００５２】
他方、らせん板部１３を夾雑物と別の経路で流下した雨水は、図２に示すように、排出口１１ｂから排出された後に、流入管２２を通じて雨水貯留浸透槽２に流入し、雨水貯留浸透槽２の側面や底面などから、透水シート２４を通じて地盤に浸透する。
【００５３】
上記したように、内筒部１２の外周を旋回して排水口１１ｂから排水される液体部分である雨水と、内筒部１２の内側を通じて夾雑物受容器１４に貯留される固体部分である夾雑物と、に分けることで、一度分離した液体と固体とが再び混合することを防止することができる。
【００５４】
また、らせん板部１３は、内筒部１２に取り付けられる側が低くなるように傾斜して、すり鉢らせん状に形成されることで、らせん板部１３を回転する際の遠心力と、傾斜によって作用する重力の径方向の分力とによって、夾雑物と水とを分離し、内筒部１２に設けた開口部１２ａ，・・・を通じて、夾雑物を集めることができる。
【００５５】
つまり、径方向の断面内で考えると、雨水に含まれる夾雑物には、らせん板部１３の周囲を回転する遠心力が作用するとともに、傾斜によって生じる重力の傾斜方向の分力が作用するが、この重力の分力のほうが大きいと、内筒部１２に近づくように移動する。そして、この内筒部１２には、開口部１２ａ，・・・が設けられているから、夾雑物が取り込まれることになる。
【００５６】
この場合、らせん板部１３の傾斜角は、設置条件などから旋回流の流速を推定したうえで、流れによって夾雑物に作用する遠心力と、夾雑物に作用する重力の径方向の分力と、を比較し、重力の径方向の分力のほうが大きくなるように決定される。
【００５７】
さらに、内筒部１２の下端の下方には、内筒部１２の内部を通じて集められた夾雑物を受容する夾雑物受容器１４が設置されることで、内筒部１２を通じて集められた夾雑物を貯留しておくことができる。
【００５８】
加えて、このように夾雑物受容器１４に夾雑物を貯留しておくことで、内筒部１２の下端の下方の空間において、雨水と夾雑物とが再び混合されることを防止できる。
【００５９】
そして、外筒部１１の下部には、夾雑物受容器１４を取り出す取出口１１ｃが設けられるとともに、外筒部１１の外側から夾雑物受容器１４の内部を見る小窓１１ｄが設けられることで、夾雑物の貯留量を確認したうえで、夾雑物受容器１４を取り出して夾雑物を処分することができる。
【００６０】
したがって、点検の際などには、夾雑物の貯留量が多い場合には、夾雑物受容器１４を取り出して夾雑物を処分し、貯留量が少ない場合にはそのまま放置することで、メンテナンス時の作業性を大幅に向上させることができる。
【００６１】
さらに、開口部１２ａは、内筒部の上端近傍以外に設けられることで、水流が旋回流として安定しないうちに、この開口部１２ａから内筒部１２の内側に雨水が流入することを防止できる。
【００６２】
つまり、受水口１１ａから流入した雨水は、外筒部１１や内筒部１２に衝突しながら徐々にらせん状に回転する旋回流として安定した流れとなるが、流入した直後は流れが安定していない。
【００６３】
そうすると、仮に内筒部１２の上端近傍に開口部１２ａを設けた場合には、旋回流として安定せずに径方向にも速度成分を有する雨水が、上端近傍の開口部１２ａから直接的に内筒部１２の内部に流れ込む場合がある。
【００６４】
これに対して、本実施の形態のように、上端近傍以外に開口部１２ａを設けていれば、旋回流として内筒部１２の周囲を安定して旋回する雨水が、直接的に内筒部１２に流れ込むことはない。
【００６５】
さらに、本発明の雨水貯留浸透システムＳは、上記した夾雑物分離マス１の外筒部１１に設けられた排水口１１ｂに、雨水を貯留又は浸透させる雨水貯留浸透槽２が接続されている。
【００６６】
したがって、雨水貯留浸透槽２に流入する雨水からは夾雑物が分離されているため、地盤の汚染や透水シート２４の目詰まりを抑制することができる。
【００６７】
加えて、夾雑物分離マス１によって捕捉されなかった夾雑物は、充填部材２１，・・・の下部に挿入された集砂枠２３によって捕捉されることで、２段階に夾雑物を回収することで、地盤の汚染や透水シート２４の目詰まりをいっそう抑制した雨水貯留浸透システムＳとなる。
【実施例】
【００６８】
以下、図５，６，７を用いて、前記実施の形態とは別の形態の夾雑物分離マス１Ａについて説明する。
【００６９】
なお、前記実施の形態で説明した内容と同一乃至均等な部分の説明については同一符号を付して説明する。
【００７０】
本実施例の夾雑物分離マス１Ａは、図５，６に示すように、円筒容器状の外筒部１１と、外筒部１１の内部に配設される筒状の内筒部１２と、らせん板部１３と、を備えて、地中に直立するようにして地盤中にじかに埋設されている。
【００７１】
そして、夾雑物分離マス１Ａの上端を塞ぐマス蓋１５を上方から開閉できるように、周囲を土留筒６１によって土留めされ、土留筒６１の上端は土留蓋６２によって上方から塞がれている。
【００７２】
このうち、内筒部１２は、樹脂などによって、外筒部１１より径が小さい円筒状に形成されて、外筒部１１の内部において外筒部１１から中心軸を偏心させて配設されている。
【００７３】
また、内筒部１２は、下端が閉塞されることで、内筒部１２の内部を通じて集められた夾雑物を貯留する夾雑物貯留部１２ｂが形成されるとともに、上端は閉塞されないで保守用開口部１２ｃが形成されている。
【００７４】
さらに、この内筒部１２には、後述するらせん板部１３が取り付けられた箇所の近傍としての、らせん板部１３の上面と内筒部１２の外周面とが交わった線に沿って、開口部１２ａが上方に開口したスリット状に形成されている。
【００７５】
加えて、この開口部１２ａは、内筒部１２の側面において、外筒部１１の中心に向いた位置から回転した位置に設けられることで、らせん板部１３が狭くなって流速が速くなる方向に向いている。
【００７６】
そして、らせん板部１３は、樹脂などによって板状に形成されるもので、板の一端面が内筒部１２の外周面を隙間なく取り巻くようにらせん状に突設されるとともに、他端面が外筒部１１の内周面に隙間なく当接するように形成されて、内筒部１２及び外筒部１１と一体となっている。
【００７７】
そうすると、内筒部１２の中心軸が外筒部１１の中心軸から偏心して設置されていることで、図７に示すように、らせん板部１３には、広い領域（図中、右）と狭い領域（図中、左）とが形成される。
【００７８】
したがって、雨水がこの広い領域を通過する際には流速が遅くなるとともに、狭い領域を通過する際には流速が速くなる。
【００７９】
加えて、らせん板部１３には、板面を上下方向に貫通する円弧スリット状の貫通孔１３ａが複数設けられており、この貫通孔１３ａを通じて雨水を下方に落とすことができる。
【００８０】
次に本実施例の夾雑物分離マス１Ａの作用について説明する。
【００８１】
このように、本実施例の夾雑物分離マス１Ａの内筒部１２は、中心軸が外筒部１１の中心軸から偏心して配設されることで、旋回流の流速を変化させて、夾雑物の回収率を調整することができる。
【００８２】
つまり、内筒部１２の中心軸が外筒部１１の中心軸から偏心して設置されていることで、図７に示すように、らせん板部１３には広い領域と狭い領域とが形成され、雨水が広い領域を通過する際には流速が遅くなるとともに、狭い領域を通過する際には流速が速くなる。
【００８３】
さらに、らせん板部１３は、上記した広い領域の側では勾配が小さくなっており、狭い領域の側では勾配が大きくなっている。このため、流速の変化に伴って変化する遠心力に対応して、径方向に重力の分力を作用させることで、いっそう効率よく夾雑物と雨水とを分離できる。
【００８４】
そして、この内筒部１２の偏心量を変化させることで流速を調整し、これに伴ってらせん板部１３の傾斜角を調整することによって、夾雑物と雨水との分離をいっそう効率よくおこなうことができる。
【００８５】
ここにおいて、開口部１２ａは、内筒部１２の側面において、らせん板部１３が狭くなって流速が速くなる方向に向けて形成されており、らせん板部１３の傾斜をより大きくして、夾雑物と雨水とを分離しやすくなっている。
【００８６】
また、内筒部１２には、夾雑物貯留部１２ｂと保守用開口部１２ｃとが設けられることで、この内筒部１２に設けた保守用開口部１２ｃを通じて、夾雑物貯留部１２ｂに溜まった夾雑物を上方から回収することができる。
【００８７】
すなわち、本実施例では、夾雑物分離マス１Ａが地中に埋設されているため、前記実施の形態のように人孔３に入って横から作業することはできないが、内筒部１２の内部を通じて上方から夾雑物を回収することができる。
【００８８】
したがって、道路の脇などに夾雑物分離マス１Ａを埋設するような場合でも、大規模な施設を必要とせずに、きわめて簡易な構造によって、メンテナンス可能な雨水貯留浸透システムＳを構築できる。
【００８９】
また、らせん板部１３には、板面を上下方向に貫通する貫通孔１３ａが設けられることで、らせん板部１３に夾雑物を分散させて、夾雑物を効率よく分離することができる。
【００９０】
つまり、弱い雨が降った場合など、流入する雨水の流速が遅い場合には、上端近傍のらせん板部１３の板面上に夾雑物が堆積してしまう可能性がある。
【００９１】
そこで、らせん板部１３の内筒部１２に近い内側に貫通孔１３ａを設けてやることで、この貫通孔１３ａを通じて雨水を下方に分散させて、夾雑物の堆積を防止しつつ、夾雑物と雨水とを分離させることができる。
【００９２】
なお、この他の構成および作用効果については、前記実施の形態と略同様であるため説明を省略する。
【００９３】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【００９４】
例えば、本実施の形態及び実施例では、夾雑物分離マス１，１Ａが雨水貯留浸透槽２に接続されて雨水貯留浸透システムＳを構成する場合について説明したが、これに限定されるものではなく、雨水貯留浸透槽２以外の下水施設などに接続されるものであってもよい。
【００９５】
また、本実施の形態及び実施例では、らせん板部１３が内筒部１２に取り付けられる側が低くなるように傾斜する場合について説明したが、これに限定されるものではなく、径方向には略水平に取り付けられるものであってもよい。
【００９６】
さらに、本実施の形態及び実施例では、開口部１２ａ，・・・が内筒部１２の上端近傍以外に設けられる場合について説明したが、これに限定されるものではなく、流れが安定している場合には、内筒部１２の上端近傍に開口部１２ａ，・・・を設けるものであってもよい。
【００９７】
そして、本実施の形態及び実施例では、夾雑物受容器１４や夾雑物貯留部１２ｂが設けられて夾雑物が回収される場合について説明したが、これに限定されるものではなく、内筒部１２が下水施設に繋がっていて夾雑物が下水に排出されるものであってもよい。
【００９８】
また、本実施例では、らせん板部１３の径方向の勾配が、広い領域では勾配を小さくし、狭い領域では勾配を大きくする場合について説明したが、これに限定されるものではなく、らせん板部１３の広い領域でも狭い領域でも略同一の勾配にしてもよい。
【図面の簡単な説明】
【００９９】
【図１】本発明の最良の実施の形態の夾雑物分離マスの構成を説明する斜視図である。
【図２】本発明の最良の実施の形態の夾雑物分離マスを備える雨水貯留浸透システムの全体構成を説明する説明図である。
【図３】本発明の最良の実施の形態の夾雑物分離マスの構成を説明する縦断面図である。
【図４】本発明の最良の実施の形態の夾雑物分離マスの構成を説明する横断面図である。
【図５】本発明の実施例の夾雑物分離マスの構成を説明する斜視図である。
【図６】本発明の実施例の夾雑物分離マスの構成を説明する縦断面図である。
【図７】本発明の実施例の夾雑物分離マスの構成を説明する横断面図である。
【符号の説明】
【０１００】
Ｓ            雨水貯留浸透システム
１，１Ａ      夾雑物分離マス
１１          外筒部
１１ａ        受水口
１１ｂ        排水口
１１ｃ        取出口
１１ｄ        小窓
１２          内筒部
１２ａ        開口部
１２ｂ        夾雑物貯留部
１３          らせん板部
１３ａ        貫通孔
１４          夾雑物受容器
２            雨水貯留浸透槽
【図１】
2009108614.tif 000003
【図２】
2009108614.tif 000004
【図３】
2009108614.tif 000005
【図４】
2009108614.tif 000006
【図５】
2009108614.tif 000007
【図６】
2009108614.tif 000008
【図７】
2009108614.tif 000009